(57)【要約】【課題】大型ディスプレイを備え、これを利用することで、プログラム作成側と加工現場側とでリアルタイムのコミュニケーションを実現する。【解決手段】曲げ加工機（１０）は、プログラム作成側（１０１）とネットワーク（９１）で結ばれた大型ディスプレイ（３０）を備える。大型ディスプレイ（３０）を、曲げ加工機の上部テーブルに取り付けた大型スクリーン（３１）と、大型スクリーン（３１）を投影面とするプロジェクタ（３２）とで構成する。プログラム作成側（１０１）で曲げプログラムの作成に用いる画面表示データを、ネットワークを介してプロジェクタから大型スクリーンに投影することで、プログラム作成側（１０１）と加工現場側（１）とで画面表示データをリアルタイムで共有し、この画面表示データを媒介として、加工現場側（１）からの技術支援情報をプログラム作成側（１０１）にリアルタイムで伝えて曲げプログラムの作成に反映させる。【選択図】図３
2005288534.tif 000002
【特許請求の範囲】
【請求項１】
曲げプログラムを作成するプログラム作成側とネットワークで結ばれた大型ディスプレイを備えた曲げ加工機であって、
前記大型ディスプレイを、曲げ加工機の上部テーブルに取り付けた大型スクリーンと、前記大型スクリーンを投影面とするプロジェクタとで構成し、
前記プログラム作成側で曲げプログラムの作成に用いる画面表示データを前記ネットワークを介して前記プロジェクタから前記大型スクリーンに投影することで、プログラム作成側と加工現場側とで前記画面表示データをリアルタイムで共有可能に構成し、
前記リアルタイムで共有する前記画面表示データを媒介として、加工現場側からの技術支援情報をプログラム作成側にリアルタイムで伝えて前記曲げプログラムの作成に反映可能に構成したことを特徴とする曲げ加工機。
【請求項２】
プログラム作成側から加工現場側への技術支援の要請内容、および、加工現場側からプログラム作成側への前記技術支援情報の伝達は、音声通話手段を用いて行うことを特徴とする請求項１記載の曲げ加工機。
【請求項３】
前記大型スクリーンに対してその手前上方から投影する場合は、曲げ加工機の上部テーブルの手前上側に配置した機台に、前記プロジェクタをその光軸を斜め下向きにして取り付けることを特徴とする請求項１または請求項２記載の曲げ加工機。
【請求項４】
前記大型スクリーンに対してその手前下方から投影する場合は、曲げ加工機の上部テーブルの手前下側に配置した機台に、前記プロジェクタをその光軸を斜め上向きにして取り付けることを特徴とする請求項１または請求項２記載の曲げ加工機。
【請求項５】
曲げ加工機の上部テーブルの手前下側において前記プロジェクタを取り付ける前記機台は、曲げ加工機が備えるＮＣ装置と一体に構成することを特徴とする請求項４記載の曲げ加工機。
【発明の詳細な説明】
【技術分野】
【０００１】
この発明は、曲げ加工機、とくに、大型デイスプレイを備えた曲げ加工機に関するものである。
【背景技術】
【０００２】
近年の曲げ加工機は、ＮＣプログラムによって制御される。そのため、曲げ加工機には、設計部門などのプログラム作成側でＣＡＤ／ＣＡＭなどを用いて設計・製作したＮＣプログラムを表示するとともに、そのＮＣプログラムを実行するために必要な各種の操作を行うことのできるＮＣ装置が備えられている。
【０００３】
また、ＮＣ装置とは別に、ＮＣ装置の表示画面に比べて大型の液晶ディスプレイを備えた曲げ加工機も提案されている（例えば、特許文献１参照）。
【０００４】
ＮＣ装置が発明されて以来、加工現場側とＮＣプログラム作成側との分業化が進んで生産性が格段に向上した。板金加工業界も例外ではなく、例えば、タレットパンチプレス機やレーザ加工機などを用いた板金穴明け・切断工程では、ＮＣ装置による生産性の向上を享受している。
【０００５】
ところが、板金曲げ工程だけは、曲げ加工機がＮＣ装置を備えているにもかかわらず、ＮＣ装置による生産性の向上から取り残されたきた。その理由は、曲げ加工にはさまざまなノウハウが必要で、穴明け・切断加工用のＮＣプログラムを作成する場合と同様にして、曲げ加工用のＮＣプログラムを作成しようとしても、曲げ加工の実行可能なＮＣプログラムを作成できない場合がかなり頻繁にあるという事情による。
【特許文献１】特許第２８２８１５１号公報
【発明の開示】
【発明が解決しようとする課題】
【０００６】
しかしながら、加工現場側の曲げ技術者の中には、長年の経験を通じて曲げ加工に必要なさまざまなノウハウを蓄積しているベテランが居るという事実がある。従来は、このようなベテラン曲げ技術者の保てる曲げノウハウなどの技術を、曲げ加工用のＮＣプログラムの作成に利用する仕組みが存在しなかった。
【０００７】
それは、曲げプログラムを作成するプログラム作成側と、曲げ技術者の居る加工現場側とは、多くの場合離れているため、プログラム作成者が加工現場側へ行って曲げ技術者に相談することは困難であり、また、曲げ技術者がプログラム作成側へ行くことはもっと困難であるからである。
【０００８】
そこで、例えば、特許文献１に記載された曲げ加工機のように、大型の液晶ディスプレイを備えた曲げ加工機を用いて、その液晶ディスプレイにさまざまな情報を表示することで、プログラム作成側と加工現場側とで人が移動せずにコミュニケーションを行う場合を想定してみた。
【０００９】
ところが、特許文献１の曲げ加工機で使用しているような大型の液晶ディスプレイでは、かなりの高価格になることに加えて、実際にはその重量が重く、厚さが厚いことが問題となる。すなわち、液晶ディスプレイは、大型になればなるほど重量が増し、厚さも厚くなる。
【００１０】
特許文献１の発明が出願された平成４年当時と比べ、現在では、加工精度および加工速度に対する要求がますます厳しくなっている。
【００１１】
そのため、曲げ加工時に上部テーブルが下降する下降式の曲げ加工機において、その上部テーブルに重量の重い液晶ディスプレイを設置することは、液晶ディスプレイの重量分だけイナーシャが増えるから、上部テーブルの応答性が悪くなり、加工精度および加工速度を悪化させる原因になるため好ましくないという問題がある。
【００１２】
また、曲げ加工時に下部テーブルが上昇する上昇式の曲げ加工機において、その上部テーブルに液晶ディスプレイを設置することは、下部テーブルのイナーシャに影響を及ぼさない。しかし、大型のため厚さの厚い液晶ディスプレイを上部テーブルの表面に設置することは、曲げ加工時にワークが液晶ディスプレイに干渉する虞があり、ワークとの干渉を避けるために例えば、上部テーブルの表面に凹部を設けてこの凹部内に液晶ディスプレイを収容するように構成することは、曲げ加工機の重要な構成要素である上部テーブルの設計変更を要するため好ましくないという問題がある。
【００１３】
この発明の課題は、上記従来のもののもつ問題点を排除して、下降式、上昇式いずれのタイプの曲げ加工機に適用しても不都合のない比較的低価格の大型ディスプレイを備えていて、この大型ディスプレイを利用することで、プログラム作成側と加工現場側とでリアルタイムのコミュニケーションを実現することが可能な曲げ加工機を提供することにある。
【課題を解決するための手段】
【００１４】
この発明は上記課題を解決するものであって、請求項１に係る発明は、曲げプログラムを作成するプログラム作成側とネットワークで結ばれた大型ディスプレイを備えた曲げ加工機であって、前記大型ディスプレイを、曲げ加工機の上部テーブルに取り付けた大型スクリーンと、前記大型スクリーンを投影面とするプロジェクタとで構成し、前記プログラム作成側で曲げプログラムの作成に用いる画面表示データを前記ネットワークを介して前記プロジェクタから前記大型スクリーンに投影することで、プログラム作成側と加工現場側とで前記画面表示データをリアルタイムで共有可能に構成し、前記リアルタイムで共有する前記画面表示データを媒介として、加工現場側からの技術支援情報をプログラム作成側にリアルタイムで伝えて前記曲げプログラムの作成に反映可能に構成した曲げ加工機である。
【００１５】
請求項２に係る発明は、請求項１記載の発明において、プログラム作成側から加工現場側への技術支援の要請内容、および、加工現場側からプログラム作成側への前記技術支援情報の伝達は、音声通話手段を用いて行う曲げ加工機である。
【００１６】
請求項３に係る発明は、請求項１または請求項２記載の発明において、前記大型スクリーンに対してその手前上方から投影する場合は、曲げ加工機の上部テーブルの手前上側に配置した機台に、前記プロジェクタをその光軸を斜め下向きにして取り付ける曲げ加工機である。
【００１７】
請求項４に係る発明は、請求項１または請求項２記載の発明において、前記大型スクリーンに対してその手前下方から投影する場合は、曲げ加工機の上部テーブルの手前下側に配置した機台に、前記プロジェクタをその光軸を斜め上向きにして取り付ける曲げ加工機である。
【００１８】
請求項５に係る発明は、請求項４記載の発明において、曲げ加工機の上部テーブルの手前下側において前記プロジェクタを取り付ける前記機台は、曲げ加工機が備えるＮＣ装置と一体に構成する曲げ加工機である。
【発明の効果】
【００１９】
この発明は以上のように、曲げプログラムを作成するプログラム作成側とネットワークで結ばれた大型ディスプレイを備えた曲げ加工機であって、前記大型ディスプレイを、曲げ加工機の上部テーブルに取り付けた大型スクリーンと、前記大型スクリーンを投影面とするプロジェクタとで構成し、前記プログラム作成側で曲げプログラムの作成に用いる画面表示データを前記ネットワークを介して前記プロジェクタから前記大型スクリーンに投影することで、プログラム作成側と加工現場側とで前記画面表示データをリアルタイムで共有可能に構成し、前記リアルタイムで共有する前記画面表示データを媒介として、加工現場側からの技術支援情報をプログラム作成側にリアルタイムで伝えて前記曲げプログラムの作成に反映可能に構成したので、下降式、上昇式いずれのタイプの曲げ加工機に適用しても不都合のない比較的低価格の大型ディスプレイを備えることができ、しかも、この大型ディスプレイを利用することで、プログラム作成側と加工現場側とがリアルタイムでコミュニケーションを実現することができる効果がある。
【発明を実施するための最良の形態】
【００２０】
この発明の実施の形態を、図面を参照して説明する。
【００２１】
図１は、この発明による曲げ加工機の一実施形態を示す斜視図、図２は、この発明による曲げ加工機の他の実施形態を示す斜視図である。
【００２２】
図１に示す曲げ加工機１０（１０Ａ）は、上部テーブル１１と下部テーブル１２とを備え、曲げ加工時に上部テーブル１１が下降するか、または、曲げ加工時に下部テーブル１２が上昇することによって、上部テーブル１１に装着したパンチ１３と、下部テーブル１２に装着したダイ１４との間に図示しないワークを挟んで折り曲げ加工するものである。
【００２３】
また、曲げ加工機１０（１０Ａ）は、ＮＣ装置２０を備えている。ＮＣ装置２０は、ＮＣプログラムを表示するとともに、必要な各種の操作を行うことのできる表示器２１を備え、また、アーム２２によって曲げ作業者が操作しやすい位置へ移動させることが可能になっている。
【００２４】
さらに、この曲げ加工機１０（１０Ａ）は、上部テーブル１１に取り付けた大型スクリーン３１と、この大型スクリーン３１を投影面とするプロジェクタ３２とで構成される大型ディスプレイ３０を備えている。
【００２５】
大型スクリーン３１は、図１に示すように、上部テーブル１１の正面に取り付けられるものである。
【００２６】
大型スクリーン３１の大きさは、例えば、上部テーブル１１の上下間高さのほぼ全体に亘る高さとすることができ、また、上部テーブル１１の左右両側を一部ずつ除く中央部の所要幅とすることができる。しかし、必要に応じて、これ以外の高さ・幅とすることも可能である。
【００２７】
また、大型スクリーン３１の取り付け角度は、例えば、曲げ加工機１０（１０Ａ）の設置床面に対してほぼ垂直面をなす角度とすることができるが、必要に応じて、この垂直面に対してある程度の角度をつけることも可能である。
【００２８】
そして、上部テーブル１１に取り付ける大型スクリーン３１は、その厚さをほとんど考慮しなくて済む程度に薄く形成することが可能であるから、曲げ加工時に上方へ折れ曲がるワークが干渉したり、曲げ作業者の作業の邪魔になったりする心配はない。
【００２９】
プロジェクタ３２は、図１に示すように、上部テーブル１１の後方からその上方を通って手前に延びた機台３３の先端部に取り付けられるものである。
【００３０】
このような機台３３は、曲げ加工機１０（１０Ａ）に設置されるものであり、曲げ加工機１０（１０Ａ）が曲げ加工時に下部テーブル１２が上昇する上昇式の場合は、上下動しない上部テーブル１１またはそれを支える曲げ加工機フレームに機台３３を設置することができる。
【００３１】
また、曲げ加工機１０（１０Ａ）が曲げ加工時に上部テーブル１１が下降する下降式の場合は、上下動する上部テーブル１１に機台３３を設置することは困難であるから、上下動しない曲げ加工機フレームに機台３３を設置することができる。
【００３２】
そして、機台３３に取り付けるプロジェクタ３２は、曲げ加工時に上方へ折れ曲がるワークが干渉したり、曲げ作業者の作業の邪魔になったりする心配のない高さに配置する。これにより、プロジェクタ３２は、大型スクリーン３１に対してその手前上方から投影することになるため、プロジェクタ３２の光軸を斜め下向きにして機台３３に取り付ける必要がある。
【００３３】
一方、図２に示す曲げ加工機１０（１０Ｂ）は、プロジェクタ３２を取り付ける機台３３がＮＣ装置２０を兼ねているものであり、その他は図１に示す曲げ加工機１０（１０Ａ）と基本的に同様のものである。
【００３４】
すなわち、この曲げ加工機１０（１０Ｂ）の場合は、図２に示すように、ＮＣ装置２０とプロジェクタ３２の機台３３とが一体に構成され、ＮＣ装置２０の背後にプロジェクタ３２が一体に取り付けられている。
【００３５】
ＮＣ装置２０（機台３３）は、下部テーブル１２の左手前に設けた支軸２３に回動可能に支持されたアーム２２によって、曲げ作業者が操作しやすい位置へ移動可能である。また、ＮＣ装置２０（機台３３）は、プロジェクタ３２使用時（非加工時）には、図２に示すように、曲げ加工機１０（１０Ｂ）の中央付近まで回り込んで、大型スクリーン３１の中央下方に位置決めされるようになっている。
【００３６】
これにより、プロジェクタ３２は、大型スクリーン３１に対してその手前下方から投影することになるため、プロジェクタ３２の光軸を斜め上向きにして機台３３に取り付ける必要がある。
【００３７】
図３は、図１の曲げ加工機１０（１０Ａ）の運用形態を示す説明図である。図２の曲げ加工機１０（１０Ｂ）の運用形態については、図示してないが、図３に示す曲げ加工機１０（１０Ａ）の運用形態と実質的に同様である。
【００３８】
図３に示すように、プログラム作成側（ＮＣプログラム室）１０１には、曲げプログラムを作成するためのＮＣプログラム作成用ＰＣ１１０およびＮＣデータベース（ＤＢ）１１１が設備として備えられている。
【００３９】
一方、加工現場側１には、曲げ加工機１０が設置され、曲げ加工機１０は、ＮＣ装置２０および大型ディスプレイ３０を備え、大型ディスプレイ３０は、曲げ加工機１０の上部テーブル１１に取り付けた大型スクリーン３１と、この大型スクリーン３１を投影面とするプロジェクタ３２とで構成されている。
【００４０】
そして、このようなプログラム作成側（ＮＣプログラム室）１０１と、加工現場側１とが、ネットワーク９１で結ばれている。
【００４１】
図４は、このネットワーク９１の概要を示す説明図である。
【００４２】
図４に示すように、プログラム作成側１０１のＮＣデータベース（ＤＢ）１１１と、加工現場側１の曲げ加工機１０に備えられたＮＣ装置２０とが、プログラム作成側１０１、加工現場側１それぞれのＬＡＮ（Local Area Network）を経て、ＴＣＰ／ＩＰ（Transmisson Control Protocol／Internet Protocol）ネットワークで相互に接続されている。
【００４３】
これに加えて、プログラム作成側１０１のＮＣプログラム作成用ＰＣ１１０と、加工現場側１の曲げ加工機１０に備えられたプロジェクタ３２とが、プロジェクタ３２にＰＣカード４０を用いることで、プログラム作成側１０１、加工現場側１それぞれのＬＡＮを経て、ＴＣＰ／ＩＰネットワークで相互に接続されている。
【００４４】
図５は、プロジェクタ３２の機能説明図である。
【００４５】
図５に示すように、プロジェクタ３２は、アナログＲＧＢ入力の信号を切り替える信号切替部４１と、信号切替部４１の出力信号をＡ／Ｄ変換するＡ／Ｄ変換部４２と、デジタルＲＧＢ入力をシリアル／パラレル変換するＴＭＤＳ（Transition Minimized Differential signaling）信号処理部４３と、ＰＣカード４０を用いてＬＡＮ経由のＪＰＥＧデータを変換するＪＰＥＧデータ変換処理部（ＣＰＵ）４４と、画像処理ＩＣ／スケーリング処理部４５とを備えている。
【００４６】
再び図３に戻って、曲げ加工機１０の大型ディスプレイ３０を用いた運用形態について説明する。図３に示すように、プログラム作成側（ＮＣプログラム室）１０１では、プログラム作成者１０２がヘッドセット１０３をして準備する。一方、加工現場側１では、ベテランの曲げ技術者２がヘッドセット３をして準備する。
【００４７】
この場合、ヘッドセット１０３とヘッドセット３とは相互に音声通話可能に設定され、これにより、プログラム作成者１０２と曲げ技術者２とは、互いに音声通話可能な状態にある。
【００４８】
プログラム作成者１０２が、加工現場側１からの技術支援を仰ぎたいケースがある場合、ＮＣプログラム作成用ＰＣ１１０を操作して、その画面表示データをネットワーク９１を介して加工現場側１へ送り、プロジェクタ３２を作動させて大型スクリーン３１に投影させる。
【００４９】
これにより、プログラム作成側（ＮＣプログラム室）１０１と加工現場側１とで、曲げプログラムの作成に用いる画面表示データがリアルタイムで共有される。つまり、ＮＣプログラム作成用ＰＣ１１０の画面に表示されている画像データと全く同じ画像データが大型スクリーン３１に表示されるため、プログラム作成者１０２と曲げ技術者２とは全く同じ画像を見ている。
【００５０】
ここで、プログラム作成者１０２がヘッドセット１０３を使って、目の前の画像について技術支援を仰ぎたい内容（例えば、曲げ順などの加工方法）を音声通話すると、目の前に同じ画像を見ながらヘッドセット３を使ってその内容を聞いた曲げ技術者２は、プログラム作成者１０２が技術支援を仰ぎたい内容を容易に理解することができる。
【００５１】
そこで、曲げ技術者２が経験を通じて蓄積しているノウハウを使って解決方法（例えば、曲げ順などの加工方法）を見出し、目の前の画像についての解決方法をヘッドセット３を使って音声通話すると、目の前に同じ画像を見ながらヘッドセット１０３を使ってその解決方法を聞いたプログラム作成者１０２は、曲げ技術者２の指示内容（解決方法）を容易に理解することができる。
【００５２】
そして、プログラム作成者１０２は、曲げ技術者２の指示内容（解決方法）にしたがってプログラム作成作業を行うことで、例えば、技術支援を仰ぐ前は作成不可能であった曲げプログラムであっても、それを作成して完成することができることとなる。
【００５３】
以下に、曲げ加工機１０の大型ディスプレイ３０を用いた運用形態についての一例を具体的に説明する。
【００５４】
プログラム作成側（ＮＣプログラム室）１０１の設備であるＮＣプログラム作成用ＰＣ１１０は、ＣＡＤ入力からＣＡＭデータの作成、各種テスト、ＤＢへの蓄積までの全工程をカバーするソフトウェア・ライブラリを備えている。
【００５５】
このソフトウェア・ライブラリには、主なものとしてつぎのようなものが含まれる。
【００５６】
（１）ＣＡＤから展開図（板金の属性データの入った２次元図形）を作成するソフトウェア。
【００５７】
（２）展開図をＣＧ表現し、さらに、展開図から３次元モデルを生成するＣＧソフトウェア。
【００５８】
（３）展開図に金型・曲げ順序をプログラマが入力する（ベンドＣＡＭ手動）ソフトウェア。
【００５９】
（４）展開図から上記３項を全自動で行う（ベンドＣＡＭ自動）ソフトウェア。
【００６０】
（５）これらを支援するソフトウェア。
【００６１】
このようなソフトウェア・ライブラリを備えたＮＣプログラム作成用ＰＣ１１０によれば、立体的なＣＧで図面とそこから派生したＣＡＭ図を参照しながら、工程をシミュレーションし、曲げ加工の可否を検証することができる。
【００６２】
そこで、例えば夜間に、図６に示すように、翌日作業するために保存した多数の展開図を、ＮＣプログラム作成用ＰＣ１１０のベンドＣＡＭ自動作成ソフトウェアにかけて、バッチ処理する。すなわち、ＮＣプログラム作成用ＰＣ１１０のベンドＣＡＭ自動作成ソフトウェアが、展開図から曲げ作業の可否を判定し、曲げ作業が可能であると判定したものについては曲げプログラム（ＮＣプログラム）を作成する。
【００６３】
このような夜間のバッチ処理によって、例えば、図７（ａ）に示すように曲げプログラムの作成が完了したワークＡについては、翌朝、直ちにレーザ加工プログラムの作成に入ることができる。
【００６４】
一方、夜間のバッチ処理によって、例えば、図７（ｂ）に示すように警告アラームが発生したワークＢについては、翌朝、曲げのベテランに相談する（現場加工編集会議を行う）。
【００６５】
夜間のバッチ処理によってこのような警告アラームが発生する頻度は、約３０％といわれている。すなわち、展開図をベンドＣＡＭ自動作成ソフトウェアにかけて、そのうち約７０％は自動で曲げプログラムを作成できるが、残りの約３０％は自動で曲げプログラムを作成することができない。
【００６６】
そこで、このような自動で曲げプログラムを作成できないワークＢについては、翌朝になって曲げのベテランに相談することで、解決を図るしかない。このとき、この発明による大型ディスプレイ３０を備えた曲げ加工機１０が真価を発揮するのである。
【００６７】
翌朝、プログラム作成側（ＮＣプログラム室）１０１では、プログラム作成者１０２がＮＣプログラム作成用ＰＣ１１０を操作して、夜間バッチ処理の結果を確認し、ワークＡのように曲げプログラムが完了したものについては、直ちにレーザ加工プログラムの作成に入る。
【００６８】
一方、ワークＢのように警告アラームが発生したものについては、そのファイルを開いて、図８に示すような詳細画面をＮＣプログラム作成用ＰＣ１１０に表示させる。
【００６９】
この詳細画面は、図８に示すように、画面の右半分に、ワークＢ（ブランク材）の展開図と曲げ線および曲げ順が示され、画面の左半分に、以下のような警告が示されている。
【００７０】
すなわち、画面の左半分には、
パーツ名：ＶＰＳ−ＶＴＲ−１
状態：初期処理時にエラーが発生しました。  
メッセージ：
Ｅ２１４：金型選択処理
（内容）
ダイ又はダイレール、ダイホルダとワークが干渉するためダイが選択できません。  
曲げ線番号１を曲げる前に、ダイ又はダイレール、ダイホルダとワークが干渉します。  
（対処）
「断面図表示」にて金型とワークの干渉状態を確認してください。  
手動操作にて曲げデータを作成してください。
【００７１】
そこで、プログラム作成者１０２は、ベンドＣＡＭ自動作成ソフトウェアのデータ管理ビューワを用いて、ＮＣプログラム作成用ＰＣ１１０に、図９に示すようなワークＢの３次元モデルの画像を表示させる。これは単なるＣＧ図ではなく、ＣＡＭデータ属性値を持ったＣＧ（すなわちＢＭＦ）である。
【００７２】
そして、プログラム作成者１０２は、ＮＣプログラム作成用ＰＣ１１０に表示されるワークＢの３次元モデルの画像を、ネットワーク９１を介して加工現場側１の大型スクリーン３１にも表示させる。
【００７３】
さらに、プログラム作成者１０２は、ヘッドセット１０３を使って曲げ技術者２に話しかけ、ワークＢの警告アラームを解消する方法について技術支援を仰ぎたい旨を伝える。
【００７４】
これを受けて、曲げ技術者２は、大型スクリーン３１に表示されたワークＢの３次元モデルの画像を見ながら、プログラム作成者１０２からのアラーム情報（曲げ前干渉）についての説明をヘッドセット３で聞く。
【００７５】
これにより、曲げ技術者２は、そのアラームが、Ｚ曲げの部分で発生していると理解し、対策として、例えば、「１工程目で曲げ線番号１をアマ曲げ（規定どおりに曲げないこと）し、２工程目で曲げ線番号６を曲げた後、３工程目で曲げ線番号１を再度曲げる」ようなプログラムを作成するように指示を出す。
【００７６】
この曲げ技術者２からの指示を受けて、プログラム作成者１０２は、ＮＣプログラム作成用ＰＣ１１０を操作し、曲げ技術者２の指示どおりの曲げ順、曲げ手法を手動入力することによって、プログラムを作成する。
【００７７】
そして、作成したプログラムを、ベンドＣＡＭ手動作成ソフトウェアを用いて確認する。なお、３工程目以降は、例えば、４工程目で曲げ線番号５を曲げ、５工程目で曲げ線番号４を曲げ、６工程目で曲げ線番号３を曲げ、７工程目で曲げ線番号２を曲げることになる。
【００７８】
このように、例えば夜間に、ベンドＣＡＭ自動作成ソフトウェアを用いたバッチ処理によって警告アラームが発生したワークＢについては、翌朝、曲げのベテランに相談する現場加工編集会議を行う。
【００７９】
このとき、プログラム作成側（ＮＣプログラム室）１０１のプログラム作成者１０２と、加工現場側１の曲げ技術者２とが、リアルタイムで同じワークＢの３次元モデルの画像を見ながら会話できることで、コミュニケーションが緊密に行われる。
【００８０】
これによって、ベテランの曲げ技術者２からプログラム作成者１０２への技術支援が円滑に行われ、ベテランの曲げ技術者２が経験を通じて蓄積しているノウハウなどの技術を、プログラム作成者１０２を通してプログラムそのものに反映させることが可能になる。
【００８１】
その結果、ベテランの曲げ技術者２は、単に曲げのベテラン職人ということにとどまらず、経験を通じて高度の曲げノウハウを蓄積している技術指導者に変貌を遂げる。そして、その保てる技術をプログラムそのものに反映させることによって、従来の人（ベテラン）から人（新人）への技術伝承に代わり、人（ベテラン）からプログラムへの技術伝承が可能になる。
【００８２】
ここで、図３に示すように、加工現場側１の曲げ加工機１０が大型ディスプレイ３０を備えていることで、ベテランの曲げ技術者２を最新のソフトウェアの運用に参加させることを実現した工場（以下、デジタル工場という。）と、従来の曲げ加工機が大型ディスプレイを備えていないため、曲げ技術者の最新ソフトウェアの運用への参加を実現できない従来の工場（以下、アナログ工場という。）との、生産性の比較について説明する。
【００８３】
工程を、（１）ブランク材探しと搬入、（２）ＮＣプログラムをＤＢからバーコードで呼び出す、（３）金型段取り、（４）試し曲げ、（５）加工検査、（６）曲げの実工程作業、の６段階に分ける。
【００８４】
加工サンプルについては、曲げ数を平均５曲げのワーク、ロットサイズを５個/ロット、職人チャージを４，０００円／時間とする。
【００８５】
デジタル工場では、ＮＣプログラム作成の自動化、多品目の加工を一括段取りするソフトの運用、最新の金型段取りシステムの運用、ステップベンドによる段取りの最小化作業など、これら最新のソフトウェアの運用を行う。
【００８６】
測定結果はつぎのとおりである。
【００８７】
（１）曲げ加工機の稼働率が上がる。すなわち、アナログ工場では、曲げ加工機の稼働率が１１．７％であるのに対し、デジタル工場では、曲げ加工機の稼働率が３２．３％に向上した。
【００８８】
（２）加工される品目数が上がる。すなわち、アナログ工場では、曲げ加工機１台当たり１９品目／１日が加工可能であるのに対し、デジタル工場では、曲げ加工機１台当たり６２品目／１日が加工可能になった。
【００８９】
（３）曲げ加工機１台当たりの利益が上がる。すなわち、アナログ工場では、曲げ加工機１台当たりの利益が５８５千円／月であるのに対し、デジタル工場では、曲げ加工機１台当たりの利益が１，７７０千円／月になった。
【００９０】
（４）生産性が約２．５倍に上がった。
【００９１】
これら測定値には、不良撃退の効果、工場全体の時間短縮、パートタイマの雇用効果、などの間接的な効果は含まれていない。
【００９２】
以上のように、この発明による曲げ加工機によれば、プログラム作成側と加工現場側とが、常時、リアルタイムで共同作業を実現することができ、そのため、例えば、加工現場側の曲げ技術者からプログラム作成側のプログラム作成者に対して、さまざまな指示やアドバイスを、常時、リアルタイムで提供できる環境が実現する。
【００９３】
これにより、例えば、ベテランの曲げ技術者をコンサルタントのポジションに据えて、曲げ作業者にはパートタイマを活用することも可能になる。このような間接的な利益も換算すると、デジタル工場の曲げ加工機１台当たりの利益は、１，７７０千円／月以上に増加する。
【図面の簡単な説明】
【００９４】
【図１】この発明による曲げ加工機の一実施形態を示す斜視図である。
【図２】この発明による曲げ加工機の他の実施形態を示す斜視図である。
【図３】曲げ加工機の運用形態を示す説明図である。
【図４】ネットワークの概要を示す説明図である。
【図５】プロジェクタの機能を示す説明図である。
【図６】ベンドＣＡＭ自動作成ソフトウェアの概要を示す説明図である。
【図７】ベンドＣＡＭ自動作成工程の結果の一例（ａ）および他の例（ｂ）を示す斜視説明図である。
【図８】図７（ｂ）の例の詳細画面を示す説明図である。
【図９】図７（ｂ）の例の３次元モデルの画像を示す説明図である。
【符号の説明】
【００９５】
１  加工現場側
２  曲げ技術者
３  ヘッドセット
１０，１０Ａ，１０Ｂ  曲げ加工機
１１  上部テーブル
１２  下部テーブル
１３  パンチ
１４  ダイ
２０  ＮＣ装置
２１  表示器
２２  アーム
２３  支軸
３０  大型ディスプレイ
３１  この大型スクリーン
３２  プロジェクタ
３３  機台
４１  信号切替部
４２  Ａ／Ｄ変換部
４３  ＴＭＤＳ信号処理部
４４  ＪＰＥＧデータ変換処理部（ＣＰＵ）
４５  画像処理ＩＣ／スケーリング処理部
９１  ネットワーク
１０１  プログラム作成側（ＮＣプログラム室）
１０２  プログラム作成者
１０３  ヘッドセット
１１０  ＮＣプログラム作成用ＰＣ
１１１  ＮＣデータベース（ＤＢ）
【図１】
2005288534.tif 000003
【図２】
2005288534.tif 000004
【図３】
2005288534.tif 000005
【図４】
2005288534.tif 000006
【図５】
2005288534.tif 000007
【図６】
2005288534.tif 000008
【図７】
2005288534.tif 000009
【図８】
2005288534.tif 000010
【図９】
2005288534.tif 000011